(57)【要約】      （修正有）【課題】熱変色筆記具で書いた筆跡を加熱して、筆跡の色を変色する熱変色筆記具用温風器であって、媒体に触れず、且つ、摩擦力も与えずに、媒体の表面の筆跡を消すことができる熱変色筆記具用温風器を提供する。【解決手段】熱変色筆記具用温風器は、被加熱体１１ｈを加熱する加熱部１１と、加熱部で加熱された被加熱体の表面に空気を送風して、温風を生成する送風部１２と、加熱部と送風部とを内蔵する筐体部材１０と有し、筐体部材は、送風部が生成した温風を吹き出す吹出し口１０ｂを備える。【選択図】図５
0003200640.tif 000002
【実用新案登録請求の範囲】
【請求項１】
熱変色筆記具で書いた筆跡を加熱して、前記筆跡の色を変色する熱変色筆記具用温風器であって、
被加熱体を加熱する加熱部と、
前記加熱部で加熱された前記被加熱体の表面に空気を送風して、温風を生成する送風部と、
前記加熱部と前記送風部とを内蔵する筐体部材と
有し、
前記筐体部材は、前記送風部が生成した前記温風を吹き出す吹出し口を備える、
ことを特徴とする熱変色筆記具用温風器。
【請求項２】
前記筐体部材は、電池を更に有し、
前記被加熱体は、電熱線であり、
前記加熱部は、前記電池の電気エネルギを用いて、前記電熱線を加熱する、
ことを特徴とする、請求項１に記載の熱変色筆記具用温風器。
【請求項３】
前記送風部は、前記電池の電気エネルギを用いて、羽部材を回転することによって、前記被加熱体の表面に空気を送風する、
ことを特徴とする、請求項２に記載の熱変色筆記具用温風器。
【考案の詳細な説明】
【技術分野】
【０００１】
本考案は、熱変色筆記具で書いた筆跡を加熱して、筆跡の色を変色する熱変色筆記具用温風器に関する。
【背景技術】
【０００２】
熱変色筆記具で書いた筆跡（文字、図形など）を消す場合に、弾性体（ゴム、消しゴムなど）を使用して、摩擦（加熱）する方法が知られている。特許文献１では、印刷像又は筆記像を覆う可逆熱変色性隠蔽性筆跡層を形成して、前記像の常温域における視覚を妨げ
ることができ、前記筆跡像を摩擦体の擦過による摩擦熱で変色させることにより前記像を可視状態に顕出させる、熱変色性可逆的隠顕機能を備えた、学習、メモ用等に有効な筆記具に関する技術を開示している。
【先行技術文献】
【特許文献】
【０００３】
【特許文献１】特開２００５−８８３０８号公報
【考案の概要】
【考案が解決しようとする課題】
【０００４】
しかしながら、特許文献１に開示されている技術では、媒体（例えば薄い紙など）の表面を擦る場合に、媒体が摩擦力で変形（例えば破損）する場合があった。また、特許文献１に開示されている技術では、広範囲に書いた筆跡（例えば図形など）を消す（擦って加熱する）場合に、時間がかかる場合があった。
【０００５】
本考案は、熱変色筆記具で書いた筆跡を加熱して、筆跡の色を変色する熱変色筆記具用温風器であって、媒体に触れず、且つ、摩擦力も与えずに、媒体の表面の筆跡を消すことができる熱変色筆記具用温風器を提供することを目的とする。
【課題を解決するための手段】
【０００６】
上記課題を解決するために、本考案の一つの実施形態は、熱変色筆記具で書いた筆跡を加熱して、前記筆跡の色を変色する熱変色筆記具用温風器であって、被加熱体を加熱する加熱部と、前記加熱部で加熱された前記被加熱体の表面に空気を送風して、温風を生成する送風部と、前記加熱部と前記送風部とを内蔵する筐体部材と有し、前記筐体部材は、前記送風部が生成した前記温風を吹き出す吹出し口を備える、ことを特徴とする熱変色筆記具用温風器を提供する。
【０００７】
本考案の他の実施形態は、上記の熱変色筆記具用温風器であって、前記筐体部材は、電池を更に有し、前記被加熱体は、電熱線であり、前記加熱部は、前記電池の電気エネルギを用いて、前記電熱線を加熱する、ことを特徴とする熱変色筆記具用温風器であってもよい。
【０００８】
本考案の他の実施形態は、上記の熱変色筆記具用温風器であって、前記送風部は、前記電池の電気エネルギを用いて、羽部材を回転することによって、前記被加熱体の表面に空気を送風する、ことを特徴とする熱変色筆記具用温風器であってもよい。
【考案の効果】
【０００９】
本考案に係る熱変色筆記具用温風器によれば、媒体に触れず、且つ、摩擦力も与えずに、媒体の表面の筆跡を消すことができるので、媒体が摩擦力で変形（例えば破損）することを防止することができる。また、本考案に係る熱変色筆記具用温風器によれば、温風を用いて媒体の表面の筆跡を消すことができるので、比較的短時間で筆跡の色を変色することができる。
【図面の簡単な説明】
【００１０】
【図１】本考案の実施形態に係る熱変色筆記具用温風器の例を説明する概略正面図である。
【図２】本考案の実施形態に係る熱変色筆記具用温風器の例を説明する概略右側面図である。
【図３】本考案の実施形態に係る熱変色筆記具用温風器の例を説明する概略左側面図である。
【図４】本考案の実施形態に係る熱変色筆記具用温風器の例を説明する概略底面図である。
【図５】本考案の実施形態に係る熱変色筆記具用温風器の例を説明する概略断面図である。
【考案を実施するための形態】
【００１１】
実施形態に係る熱変色筆記具用温風器の例を用いて、本考案を説明する。なお、本考案は、以後に説明する熱変色筆記具用温風器以外でも、温風を用いて熱変色筆記具の筆跡を消すことができるもの（部品、部材、商品、製品など）であれば、いずれのものにも用いることができる。ここで、熱変色筆記具の色および素材は、特に限定されない。
【００１２】
以後に、本考案を説明する。
【００１３】
図１乃至図５を用いて、本考案に係る熱変色筆記具用温風器の構成を説明する。ここで、図１は、本考案の実施形態に係る熱変色筆記具用温風器１００の例を説明する概略正面図である。図２は、本考案の実施形態に係る熱変色筆記具用温風器１００の例を説明する概略右側面図である。図３は、本考案の実施形態に係る熱変色筆記具用温風器１００の例を説明する概略左側面図である。図４は、本考案の実施形態に係る熱変色筆記具用温風器１００の例を説明する概略底面図である。図５は、本考案の実施形態に係る熱変色筆記具用温風器の例を説明する概略断面図である。なお、図１等に示す熱変色筆記具用温風器の構成等は一例であり、本考案は図１等に示す熱変色筆記具用温風器に示すものに限定されるものではない。
【００１４】
図１乃至図５に示すように、本考案に係る熱変色筆記具用温風器１００は、発熱する加熱部１１（図５）と、加熱部１１に空気を送風して、温風を生成する送風部１２（図５）と、加熱部１１と送風部１２とを内蔵する筐体部材１０（図１乃至図５）と有する。なお、筐体部材１０の大きさ及び形状は特に限定されない。筐体部材１０は、例えば片手で持って、移動可能なものであれば、いずれの大きさ及び形状であってもよい。
【００１５】
本考案に係る熱変色筆記具用温風器１００は、熱変色筆記具で書いた筆跡を加熱して、筆跡の色を変色（消色）する。これにより、熱変色筆記具用温風器１００は、熱変色筆記具で書いた文字や図形を消す（変色する）ことができる。具体的には、熱変色筆記具用温風器１００は、発熱した加熱部１１に送風部１２を用いて空気を送風し、温風を生成する。また、熱変色筆記具用温風器１００は、生成した温風を熱変色筆記具で書いた筆跡に接触させて、筆跡に加熱して変色（消色）する。
【００１６】
筐体部材１０は、熱変色筆記具用温風器１００の外形を形成するものである。筐体部材１０は、図５に示すように、送風部１２が送風する空気を吸い込む吸込み口１０ａと、送風部１２が生成した温風を吹き出す吹出し口１０ｂとを備える。また、筐体部材１０は、本実施形態では、図２および図５に示すように、加熱部１１及び送風部１２を起動するOn/OffスイッチＳｗを更に備える。
【００１７】
吸込み口１０ａ及び吹出し口１０ｂは、本実施形態では、網目形状の開口で構成する。なお、図５に示す吸込み口１０ａ及び吹出し口１０ｂは一例であり、本考案は図５に示す吸込み口１０ａ及び吹出し口１０ｂの形状及び位置に限定されるものではない。
【００１８】
加熱部１１は、発熱して空気を暖めるものである。加熱部１１は、本実施形態では、図５に示すように、被加熱体１１ｈを加熱する。被加熱体１１ｈは、電池（蓄電池、二次電池など）１３の電気エネルギで加熱する例えば電熱線（コイル、ニクロム線など）を用いることができる。なお、加熱部１１は、発熱して空気を暖める方法は公知の技術も用いてもよい。
【００１９】
送風部１２は、加熱した加熱部１１に空気を送風して、温風を生成するものである。送風部１２は、本実施形態では、図５に示すように、加熱された被加熱体１１ｈの表面に空気を送風して、温風を生成する。また、送風部１２は、電池（蓄電池、二次電池など）１３の電気エネルギを用いて回転部材（モーターなど）１２ｍを駆動し、連結した羽部材１２ｆを回転する。これにより、熱変色筆記具用温風器１００は、吸込み口１０ａから空気を吸い込み、生成した温風を吹出し口１０ｂから吹き出すことができる。
【００２０】
以上のとおり、本考案に係る熱変色筆記具用温風器１００Ｄによれば、温風を利用して、媒体に触れず、且つ、摩擦力も与えずに、媒体の表面の筆跡を消すことができる。また、熱変色筆記具用温風器１００Ｄによれば、温風を利用して、媒体に触れず、且つ、摩擦力も与えずに、媒体の表面の筆跡を消すことができるので、媒体が摩擦力で変形（例えば破損）することを防止することができる。更に、本考案に係る熱変色筆記具用温風器によれば、媒体の表面の筆跡に温風を広範囲に送風することができるので、媒体に触れて摩擦力を与える場合と比較して、短時間で筆跡の色を変色（例えば消色）することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  熱変色筆記具用温風器
１０  ：  筐体部材
１０ａ：  吸込み口
１０ｂ：  吹出し口
１１  ：  加熱部
１１ｈ：  被加熱体
１２  ：  送風部
１２ｆ：  羽部材
１２ｍ：  回転部材（モーターなど）
１３  ：  電源（蓄電池、二次電池など）
Ｓｗ  ：  On/Offスイッチ
【図１】
0003200640.tif 000003
【図２】
0003200640.tif 000004
【図３】
0003200640.tif 000005
【図４】
0003200640.tif 000006
【図５】
0003200640.tif 000007